(57)【要約】【課題】穴を開けなくても途中でケーブルを引き出したり挿入したりすることができるケーブルプロテクタを提供する。【解決手段】ケーブルプロテクタ１０は筒状の本体１１からなる。ケーブルを本体１１内に挿入するための挿入用切込み２１が、挿入用切込み２１の頂点が本体１１の第１の側面１２1に達するとともに挿入用切込み２１の底点が本体１１の第２の側面１２2に達するように、本体１１の上面に本体１１の長手方向に沿って波形に曲げられて形成されている。また、ケーブルを本体１１の途中から引き出したり挿入したりするための第１および第２の引出用切込み２２1，２２2が、本体１１の第１および第２の側面１２1，１２2に挿入用切込み２１の頂点および底点から本体１１の底面１３に向かってそれぞれ形成されている。【選択図】図１
2008178251.tif 000002
【特許請求の範囲】
【請求項１】
筒状の本体（１１；１１１；２１１）からなり、
ケーブルを前記本体内に挿入するための挿入用切込み（２１；１２１；２２１）が、該本体の上面に該本体の長手方向に沿って形成されており、
前記ケーブルを前記本体の途中から引き出したり挿入したりするための引出用切込み（２２1，２２2；１２２1，１２２2；２２２1，２２２2）が、前記本体の両側面（１２1，１２2；１１２1，１１２2；２１２1，２１２2）に前記挿入用切込みと繋がるように形成されている、
ことを特徴とする、ケーブルプロテクタ。
【請求項２】
曲げ用切込み（２２３）が、前記本体（２１１）の底面（２１３）に前記引出用切込みと繋がるように形成されており、
前記曲げ用切込みによって前記本体の底面が分断されないようにするための接続部（２４０）が、該本体の底面に該本体の長手方向に沿って形成されている、
ことを特徴とする、請求項１記載のケーブルプロテクタ。
【請求項３】
前記接続部が、隣り合う前記曲げ用切込み間の前記本体の底面の中央部において分断されていることを特徴とする、請求項２記載のケーブルプロテクタ。
【請求項４】
前記本体（１１１）を固定するための固定部（１３１1，１３１2）が、該本体の両側面に形成されていることを特徴とする、請求項１乃至３いずれかに記載のケーブルプロテクタ。
【請求項５】
筒状の本体（１１）からなり、
ケーブルを前記本体内に挿入するための挿入用切込み（２１）が、該挿入用切込みの頂点が該本体の第１の側面（１２1）に達するとともに該挿入用切込みの底点が該本体の第２の側面（１２2）に達するように、該本体の上面に該本体の長手方向に沿って波形に曲げられて形成されており、
前記ケーブルを前記本体の途中から引き出したり挿入したりするための第１および第２の引出用切込み（２２1，２２2）が、該本体の第１および第２の側面に前記挿入用切込みの頂点および底点から該本体の底面（１３）に向かってそれぞれ形成されている、
ことを特徴とする、ケーブルプロテクタ。
【請求項６】
筒状の本体（１１１；２１１）からなり、
ケーブルを前記本体の途中から引き出したり挿入したりするための第１および第２の引出用切込み（１２２1，１２２2；２２２1，２２２2）が、該本体の第１および第２の側面（１１２1，１１２2；２１２1，２１２2）に該本体の長手方向に沿って同じ位置にそれぞれ形成されており、
前記ケーブルを前記本体内に挿入するための挿入用切込み（１２１；２２１）が、前記本体の上面に形成されているとともに、該本体の長手方向に沿って直線状に形成された第１の部分と該本体の長手方向と垂直な方向に直線状に形成された第２の部分とからなり、
前記挿入用切込みの第１の部分が、前記本体の一方の端部から他方の端部まで前記挿入用切込みの第２の部分を境目として該本体の第１の側面寄りおよび該本体の第２の側面寄りに交互に形成されており、
前記挿入用切込みの第２の部分が、前記引出用切込みと繋がるように前記本体の長手方向に沿って同じ位置に形成された前記第１および第２の引出用切込みの間に形成されている、
ことを特徴とする、ケーブルプロテクタ。
【請求項７】
曲げ用切込み（２２３）が、前記本体（２１１）の底面（２１３）に、該本体の第１および第２の側面（２１２1，２１２2）の該本体の長手方向に沿って同じ位置に形成された前記第１および第２の引出用切込み（２２２1，２２２2）の間に、該本体の長手方向と垂直な方向に形成されており、
前記曲げ用切込みによって前記本体の底面が分断されないようにするための接続部（２４０）が、該本体の底面の該本体の長手方向に沿った中心線上に形成されている、
ことを特徴とする、請求項６記載のケーブルプロテクタ。
【請求項８】
前記曲げ用切込みの幅が、前記第１および第２の引出用切込みの幅（Ｗ２）よりも広いことを特徴とする、請求項７記載のケーブルプロテクタ。
【発明の詳細な説明】
【技術分野】
【０００１】
本発明は、ケーブルプロテクタに関し、特に、屋内において敷設されるケーブルを保護するのに好適なケーブルプロテクタに関する。
【背景技術】
【０００２】
従来、屋内において敷設されるケーブルは、波付硬質ポリエチレン管やワイヤプロテクタを用いて保護している。また、少数のケーブルをケーブルラックに敷設する場合には、梯子状の金属製のケーブルラックを用いて保護している。
【０００３】
下記の特許文献１には、ワイヤプロテクタに光ケーブルまたは光コードを押し込むだけで容易に格納できるとともに、格納後はワイヤプロテクタから光ケーブルまたは光コードが安易にはみ出すのを防止できるようにするために、筒状のワイヤプロテクタ本体と、ワイヤプロテクタ本体の下面長手方向に設けられた両面接着テープと、ワイヤプロテクタ本体の上部長手方向に設けられたかつ光ケーブルまたは光コードが挿入可能に設けられた切れ込み部とを具備するワイヤプロテクタが開示されている。
【０００４】
また、特許文献２には、安価で作業性がよく出っ張りが少なくかつ見栄えもよくするために、壁、床や天井などの取付面にケーブルを保持するケーブル配線カバーであって、とぐろ巻きできる柔軟な材料で押し出し成形したスリット入り中空体とするとともに、下部に幅狭の縦方向スリットがある包囲部とスリットの一方の端縁側から側外方に突出する平坦フランジ部とを有する形状にしたケーブル配線カバーが開示されている。また、このケーブル配線カバーでは、取付面の色にコーディネイトさせた色で着色して押出し成形するとともに、施工にあたっては適切な長さにカットしたケーブル配線カバーの端部から包囲部の内部空間に予め配線すべきケーブルを挿入したのち、ステープラーのようなタッカでフランジ部にステープルを打ち込んで、壁、床や天井などの取付面に固定する。
【特許文献１】特開２００６−１５８０４１号公報
【特許文献２】登録実用新案第３１０４８３７号公報
【発明の開示】
【発明が解決しようとする課題】
【０００５】
しかしながら、波付硬質ポリエチレン管では、一般的には１本のケーブルしか保護することができず、複数本のケーブルを保護することができないという問題がある。
また、上記特許文献１に開示されているワイヤプロテクタでは、途中からケーブルを引き出すことができないため、始端から終端までが異なる複数本のケーブルを保護することができないという問題がある。
さらに、上記特許文献２に開示されているケーブル配線カバーでは、途中でケーブルを引き出したり挿入したりする場合には、ケーブルが入る程度の穴をケーブル配線カバーに開けなければならないという問題がある。
【０００６】
本発明の目的は、穴を開けなくても途中でケーブルを引き出したり挿入したりすることができるケーブルプロテクタを提供することにある。
【課題を解決するための手段】
【０００７】
本発明のケーブルプロテクタは、筒状の本体（１１；１１１；２１１）からなり、ケーブルを前記本体内に挿入するための挿入用切込み（２１；１２１；２２１）が、該本体の上面に該本体の長手方向に沿って形成されており、前記ケーブルを前記本体の途中から引き出したり挿入したりするための引出用切込み（２２1，２２2；１２２1，１２２2；２２２1，２２２2）が、前記本体の両側面（１２1，１２2；１１２1，１１２2；２１２1，２１２2）に前記挿入用切込みと繋がるように形成されていることを特徴とする。
ここで、曲げ用切込み（２２３）が、前記本体（２１１）の底面（２１３）に前記引出用切込みと繋がるように形成されており、前記曲げ用切込みによって前記本体の底面が分断されないようにするための接続部（２４０）が、該本体の底面に該本体の長手方向に沿って形成されていてもよい。
前記接続部が、隣り合う前記曲げ用切込み間の前記本体の底面の中央部において分断されていてもよい。
前記本体（１１１）を固定するための固定部（１３１1，１３１2）が、該本体の両側面に形成されていてもよい。
また、本発明のケーブルプロテクタは、筒状の本体（１１）からなり、ケーブルを前記本体内に挿入するための挿入用切込み（２１）が、該挿入用切込みの頂点が該本体の第１の側面（１２1）に達するとともに該挿入用切込みの底点が該本体の第２の側面（１２2）に達するように、該本体の上面に該本体の長手方向に沿って波形に曲げられて形成されており、前記ケーブルを前記本体の途中から引き出したり挿入したりするための第１および第２の引出用切込み（２２1，２２2）が、該本体の第１および第２の側面に前記挿入用切込みの頂点および底点から該本体の底面（１３）に向かってそれぞれ形成されていることを特徴とする。
さらに、本発明のケーブルプロテクタは、筒状の本体（１１１；２１１）からなり、ケーブルを前記本体の途中から引き出したり挿入したりするための第１および第２の引出用切込み（１２２1，１２２2；２２２1，２２２2）が、該本体の第１および第２の側面（１１２1，１１２2；２１２1，２１２2）に該本体の長手方向に沿って同じ位置にそれぞれ形成されており、前記ケーブルを前記本体内に挿入するための挿入用切込み（１２１；２２１）が、前記本体の上面に形成されているとともに、該本体の長手方向に沿って直線状に形成された第１の部分と該本体の長手方向と垂直な方向に直線状に形成された第２の部分とからなり、前記挿入用切込みの第１の部分が、前記本体の一方の端部から他方の端部まで前記挿入用切込みの第２の部分を境目として該本体の第１の側面寄りおよび該本体の第２の側面寄りに交互に形成されており、前記挿入用切込みの第２の部分が、前記引出用切込みと繋がるように前記本体の長手方向に沿って同じ位置に形成された前記第１および第２の引出用切込みの間に形成されていることを特徴とする。
ここで、曲げ用切込み（２２３）が、前記本体（２１１）の底面（２１３）に、該本体の第１および第２の側面（２１２1，２１２2）の該本体の長手方向に沿って同じ位置に形成された前記第１および第２の引出用切込み（２２２1，２２２2）の間に、該本体の長手方向と垂直な方向に形成されており、前記曲げ用切込みによって前記本体の底面が分断されないようにするための接続部（２４０）が、該本体の底面の該本体の長手方向に沿った中心線上に形成されていてもよい。
前記曲げ用切込みの幅が、前記第１および第２の引出用切込みの幅（Ｗ２）よりも広くてもよい。
【発明の効果】
【０００８】
本発明のケーブルプロテクタは、以下に示す効果を奏する。
（１）本体の両側面に引出用切込みが所定の間隔で形成されているので、穴を開けなくても引出用切込みからケーブルを引き出したり挿入したりすることができる。
（２）曲げ用切込みが本体の底面に引出用切込みから本体の長手方向と垂直な方向に形成されているので、ケーブルプロテクタを横方向に曲げることができる。
【発明を実施するための最良の形態】
【０００９】
上記の目的を、ケーブルを本体内に挿入するための挿入用切込みを本体の上面に本体の長手方向に沿って形成するとともに、ケーブルを本体の途中から引き出したり挿入したりするための引出用切込みを本体の両側面に挿入用切込みと繋がるように形成することにより実現した。
【実施例１】
【００１０】
以下、本発明のケーブルプロテクタの実施例について、図面を参照して説明する。
本発明の第１の実施例によるケーブルプロテクタ１０は、図１に示すように、横断面形状が矩形である筒状の本体１１からなる。本体１１は、ゴムのような弾性体材料で構成されており、両端部に矩形の開口部を有する。
【００１１】
本体１１の上面には、ケーブルを押し込んで本体１１内に挿入するための挿入用切込み２１が形成されている。
ここで、挿入用切込み２１は、波の山（以下、「挿入用切込み２１の頂点」と称する。）が本体１１の第１の側面１２1に達するとともに波の谷（以下、「挿入用切込み２１の底点」と称する。）が本体１１の第２の側面１２2に達するように、本体１１の長手方向に沿って波形に曲げられて形成されている。
また、挿入用切込み２１の幅Ｗ１は特に制限はないが、好ましくは、埃などが本体１１の上面から本体１１内に入り込まないように“０”とする（すなわち、本体１１の上面が挿入用切込み２１の部分で密着するようにする。）。なお、挿入用切込み２１の幅Ｗ１がケーブルの径よりも小さくても、本体１１は弾性体材料で構成されているため、ケーブルを挿入用切込み２１に沿って本体１１の上面から押し込むことにより、ケーブルを本体１１内に挿入することができる。
【００１２】
本体１１の第１および第２の側面１２1，１２2には、本体１１の途中からケーブルを引き出したり挿入したりするための複数個の第１および第２の引出用切込み２２1，２２2が本体１１の長手方向に沿って所定の間隔Ｌでそれぞれ形成されている。ここで、第１の引出用切込み２２1は、挿入用切込み２１と繋がるように、挿入用切込み２１の頂点から本体１１の底面１３に向かって形成されており、また、第２の引出用切込み２２2は、挿入用切込み２１と繋がるように、挿入用切込み２１の底点から本体１１の底面１３に向かって形成されている。なお、図１に示す例では、第１および第２の引出用切込み２２1，２２2は本体１１の底面１３に達しないように形成されているが、本体１１の底面１３に達するように形成されてもよい。
第１および第２の引出用切込み２２1，２２2の幅Ｗ２は特に制限はないが、好ましくは、埃などが第１および第２の側面１２1，１２2から本体１１内に入り込まないように“０”とする（すなわち、第１および第２の側面１２1，１２2が第１および第２の引出用切込み２２1，２２2の部分でそれぞれ密着するようにする。）。なお、第１および第２の引出用切込み２２1，２２2の幅Ｗ２がケーブルの径よりも小さくても、本体１１は弾性体材料で構成されているため、ケーブルを第１および第２の引出用切込み２２1，２２2から引き出したり第１および第２の引出用切込み２２1，２２2から本体１１内に挿入したりすることができる。
【００１３】
以上のように構成されたケーブルプロテクタ１０では、第１のケーブル１1を本体１１の一方の端部から他方の端部まで本体１１内に挿入する場合には、第１のケーブル１1を本体１１の一方の端部から他方の端部まで挿入用切込み２１に沿って本体１１の上面から押し込んでいけばよい。
【００１４】
また、第２のケーブル１2を本体１１の一方の端部から本体１１内に挿入していき本体１１の途中の第２の引出用切込み２２2から引き出す場合には、第２のケーブル１2を本体１１の一方の端部から引出し位置の第２の引出用切込み２２2まで挿入用切込み２１に沿って本体１１の上面から押し込んでいったのちにこの第２の引出用切込み２２2に沿って押し込んでいって、第２のケーブル１2の残りの部分がこの第２の引出用切込み２２2から本体１１の外に出るようにすればよい。
【００１５】
さらに、第２のケーブル１2を本体１１の途中の第１の引出用切込み２２1から本体１１の一方の端部まで本体１１内に挿入する場合には、第２のケーブル１2を本体１１の上面からこの第１の引出用切込み２２1に沿って押し込んだのちに、第２のケーブル１2の本体１１内に挿入する部分をこの第１の引出用切込み２２1から本体１１の一方の端部まで挿入用切込み２１に沿って本体１１の上面から押し込んでいけばよい。
【実施例２】
【００１６】
次に、本発明の第２の実施例によるケーブルプロテクタについて、図２を参照して説明する。
本実施例によるケーブルプロテクタ１１０は、図２に示すように、以下に示す点で上述した第１の実施例によるケーブルプロテクタ１０と異なる。
（１）直線状の第１および第２の引出用切込み１２２1，１２２2は、ケーブルプロテクタ１１０の本体１１１の第１および第２の側面１１２1，１１２2に、本体１１１の長手方向に沿って同じ位置にそれぞれ形成されている。
（２）挿入用切込み１２１は、本体１１１の長手方向に沿って直線状に形成された第１の部分と、本体１１１の長手方向と垂直な方向に直線状に形成された第２の部分とからなる。
（３）挿入用切込み１２１の第１の部分は、本体１１１の一方の端部から他方の端部まで挿入用切込み１２１の第２の部分を境目として本体１１１の第１の側面１１２1寄りおよび本体１１１の第２の側面１１２2寄りに交互に形成されている。
（４）挿入用切込み１２１の第２の部分は、第１および第２の引出用切込み１２２1，１２２2と繋がるように、本体１１１の長手方向に沿って同じ位置に形成された第１および第２の引出用切込み１２２1，１２２2の間に形成されている。
（５）ケーブルプロテクタ１１０をネジ１４０で固定するための第１および第２の固定部１３１1，１３１2（第１の固定部１３１1は不図示）が、本体１１１の第１および第２の側面１１２1，１１２2にそれぞれ設けられている。なお、第１および第２の固定部１３１1，１３１2の数は任意でよく、また、第１および第２の固定部１３１1，１３１2はなくてもよい。
【００１７】
このように構成されたケーブルプロテクタ１１０では、第１のケーブル１1を本体１１１の一方の端部から他方の端部まで本体１１１内に挿入する場合には、第１のケーブル１1を本体１１１の一方の端部から他方の端部まで挿入用切込み１２１の第１および第２の部分に沿って本体１１１の上面から押し込んでいけばよい。
【００１８】
また、第２のケーブル１2を本体１１１の一方の端部から本体１１１内に挿入していき本体１１１の途中の第２の引出用切込み１２２2から引き出す場合には、第２のケーブル１2を本体１１１の一方の端部から引出し位置の第２の引出用切込み１２２2まで挿入用切込み１２１の第１および第２の部分に沿って本体１１１の上面から押し込んでいったのちにこの第２の引出用切込み１２２2に沿って押し込んでいって、第２のケーブル１2の残りの部分がこの第２の引出用切込み１２２2から本体１１１の外に出るようにすればよい。
【００１９】
さらに、第２のケーブル１2を本体１１１の途中の第１の引出用切込み１２２1から本体１１１の一方の端部まで本体１１１内に挿入する場合には、第２のケーブル１2を本体１１１の上面からこの第１の引出用切込み１２２1に沿って押し込んだのち、第２のケーブル１2の本体１１１内に挿入する部分をこの第１の引出用切込み１２２1から本体１１１の一方の端部まで挿入用切込み１２１の第１および第２の部分に沿って本体１１１の上面から押し込んでいけばよい。
【実施例３】
【００２０】
次に、本発明の第３の実施例によるケーブルプロテクタについて、図３乃至図５を参照して説明する。
本実施例によるケーブルプロテクタ２１０は、図３および図４に示すように、以下に示す点で上述した第２の実施例によるケーブルプロテクタ１１０と異なる。
（１）直線状の曲げ用切込み２２３が、本体２１１の底面２１３に、本体２１１の第１および第２の側面２１２1，２１２2の本体２１１の長手方向に沿って同じ位置に形成された第１および第２の引出用切込み２２２1，２２２2の間に、本体２１１の長手方向と垂直な方向に形成されている。ここで、曲げ用切込み２２３の幅は、図３に示した例のように第１および第２の引出用切込み２２２1，２２２2の幅Ｗ２と同じにしてもよいが、第１および第２の引出用切込み２２２1，２２２2の幅Ｗ２よりも広くしてもよい。
（２）曲げ用切込み２２３によって本体２１１の底面２１３が分断されないようにするための接続部２４０が、本体２１１の底面２１３の本体２１１の長手方向に沿った中心線上に形成されている。ここで、接続部２４０の高さは特に制限はないが、好ましくは、本体２１１の高さの半分以上とする。また、接続部２４０は、ゴムなどのような弾性部材から構成されている。さらに、接続部２４０は、本体２１１と一体に構成されてもよいし、本体２１１と別体で構成されてもよい。
（３）接続部２４０は、ケーブルが挿入用切込み２２１に沿って蛇行して本体２１１内に挿入されるように、隣り合う曲げ用切込み２２３間の本体２１１の底面２１３の中央部において分断されている（図４参照）。
【００２１】
このように構成されたケーブルプロテクタ２１０では、上述した第２の実施例によるケーブルプロテクタ１１０と同様の効果が得られるほか、図５に示すように、ケーブルプロテクタ２１０を横方向に（すなわち、本体２１１の長手方向に向かって左右に）曲げることができるという効果が得られる。
【００２２】
以上の説明では、ケーブルプロテクタ１０，１１０，２１０の本体１１，１１１，２１１の横断面形状を矩形としたが、他の形状（たとえば、楕円形）としてもよい。
【図面の簡単な説明】
【００２３】
【図１】本発明の第１の実施例によるケーブルプロテクタ１０の構成を示す図である。
【図２】本発明の第２の実施例によるケーブルプロテクタ１１０の構成を示す図である。
【図３】本発明の第３の実施例によるケーブルプロテクタ２１０の構成を示す図である。
【図４】図３に示したケーブルプロテクタ２１０を横方向に曲げる前の状態を示す図である。
【図５】図３に示したケーブルプロテクタ２１０を横方向に曲げた後の状態を示す図である。
【符号の説明】
【００２４】
１1，１2  第１および第２のケーブル
１０，１１０，２１０  ケーブルプロテクタ
１１，１１１，２１１  本体
１２1，１２2，１１２1，１１２2，２１２1，２１２2  第１および第２の側面
１３，１１３，２１３  底面
２１，１２１，２２１  挿入用切込み
２２1，２２2，１２２1，１２２2，２２２1，２２２2  第１および第２の引出用切込み
１３１1，１３１2  第１および第２の固定部
２２３  曲げ用切込み
２４０  接続部
１４０  ネジ
Ｌ  間隔
Ｗ１，Ｗ２  幅
【図１】
2008178251.tif 000003
【図２】
2008178251.tif 000004
【図３】
2008178251.tif 000005
【図４】
2008178251.tif 000006
【図５】
2008178251.tif 000007